【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
ポリープの粘膜下組織を含む組織に少なくとも１つの媒体を導入する手段と、
該組織における外的刺激への反応を測定する手段と、
該外的刺激への反応に基づいて、該組織の健康状態を推測する手段と
を含む、システム。
【請求項２】
前記外的刺激は、触診を含み、前記反応を測定する手段は、圧力センサ、力センサ、カメラ、表面形状走査装置、およびそれらの組み合わせから成る群より選択される装置である、請求項１に記載のシステム。
【請求項３】
前記外的刺激は、空気吹出を含み、前記反応を測定する手段は、トノメータを備える装置である、請求項１に記載のシステム。
【請求項４】
前記外的刺激は、光源を含み、前記反応を測定する手段は、カメラを備える装置である、請求項１に記載のシステム。
【請求項５】
前記光源は、前記ポリープの下に配置され、前記カメラは、該ポリープの上方に配置される、請求項４に記載のシステム。
【請求項６】
前記光源は、前記ポリープの下に配置され、前記カメラは、該ポリープの下に配置される、請求項４に記載のシステム。
【請求項７】
前記媒体は、生理食塩水を含む、請求項１に記載のシステム。
【請求項８】
前記媒体は、少なくとも１つの熱反応性ポリマーを含む、請求項１に記載のシステム。
【請求項９】
前記媒体は、少なくとも１つの熱可逆性ポリマーを含む、請求項１に記載のシステム。
【請求項１０】
前記組織の前記健康状態を推測する手段は、前記ポリープが癌性であるか否かを判定する手段を含む、請求項１に記載のシステム。
【請求項１１】
前記組織の前記健康状態を推測する手段は、リアルタイムで該健康状態を推測する手段を含む、請求項１に記載のシステム。
【請求項１２】
ポリープの粘膜下組織を含む組織の中に少なくとも１つの媒体を導入するためのカニューレと、
該組織の変化を判定するための少なくとも１つのセンサと、
該センサからのデータをエンドユーザに表示するための表示手段と
を備える、システム。
【請求項１３】
前記センサは、圧力センサ、力センサ、カメラ、レーザ走査システム、トノメータ、白色光内視鏡、自動蛍光内視鏡、色素内視鏡、狭帯域撮像装置、免疫光学診断内視鏡、光コヒーレンストモグラフィシステム、共焦点蛍光／反射率マイクロ内視鏡、ラマン点分光器、光散乱分光器、蛍光内視鏡、量子ドットシステムの蛍光撮像、およびそれらの組み合わせから成る群より選択される、請求項１２に記載のシステム。
【請求項１４】
前記カニューレは、前記粘膜下組織の中の前記媒体の圧力を判定するための圧力センサをさらに備える、請求項１２に記載のシステム。
【請求項１５】
前記システムは、前記ポリープの下に挿入するための光源をさらに備える、請求項１２に記載のシステム。
【請求項１６】
前記センサは、カメラを備える、請求項１５に記載のシステム。
【請求項１７】
前記カメラは、前記ポリープの表面を可視化するために、前記組織の上方に配置される、請求項１６に記載のシステム。
【請求項１８】
前記カメラは、前記ポリープが結腸壁から分離する際に、該ポリープの可視化を可能にするために、該ポリープの下方に配置される、請求項１６に記載のシステム。
【請求項１９】
前記センサは、
ポリープ上に空気を吹きかけるためのノズルと、
粘膜層の下方に注入される前記媒体の前記圧力を測定することが可能なセンサと、
ＣＰＵと
を備える、空気トノメータを備える、請求項１２に記載のシステム。
【請求項２０】
前記カニューレはさらに、薬品、薬剤、血液、医療装置、ガイドワイヤ、ポリープ切除スネア、電気焼灼装置、針、光ファイバ、光ファイバ撮像装置、光ファイバ診断プローブ、およびそれらの組み合わせから成る群より選択される品目を、前記ポリープに導入するために使用される、請求項１２に記載のシステム。
【手続補正２】
【補正対象書類名】明細書
【補正対象項目名】００１５
【補正方法】変更
【補正の内容】
【００１５】
実施形態では、本開示の方法およびシステムは、ポリープが癌性であるか否かを判定するために利用されてもよく、そのような判定がリアルタイムで生じることを可能にしてもよい。
例えば、本発明は以下の項目を提供する。
（項目１）
ポリープの粘膜下組織を含む組織に少なくとも１つの媒体を導入することと、
該組織における外的刺激への反応を測定することと、
該外的刺激への反応に基づいて、該組織の健康状態を推測することと
を含む、方法。
（項目２）
上記外的刺激は、触診を含み、上記反応を測定することは、圧力センサ、力センサ、カメラ、表面形状走査装置、およびそれらの組み合わせから成る群より選択される装置によって実行される、項目１に記載の方法。
（項目３）
上記外的刺激は、空気吹出を含み、上記反応を測定することは、トノメータを備える装置によって実行される、項目１に記載の方法。
（項目４）
上記外的刺激は、光源を含み、上記反応を測定することは、カメラを備える装置によって実行される、項目１に記載の方法。
（項目５）
上記光源は、上記ポリープの下に配置され、上記カメラは、該ポリープの上方に配置される、項目４に記載の方法。
（項目６）
上記光源は、上記ポリープの下に配置され、上記カメラは、該ポリープの下に配置される、項目４に記載の方法。
（項目７）
上記媒体は、生理食塩水を含む、項目１に記載の方法。
（項目８）
上記媒体は、少なくとも１つの熱反応性ポリマーを含む、項目１に記載の方法。
（項目９）
上記媒体は、少なくとも１つの熱可逆性ポリマーを含む、項目１に記載の方法。
（項目１０）
上記組織の上記健康状態を推測することは、上記ポリープが癌性であるか否かを判定することを含む、項目１に記載の方法。
（項目１１）
上記組織の上記健康状態を推測することは、リアルタイムで該健康状態を推測することを含む、項目１に記載の方法。
（項目１２）
ポリープの粘膜下組織を含む組織の中に少なくとも１つの媒体を導入するためのカニューレと、
該組織の変化を判定するための少なくとも１つのセンサと、
該センサからのデータをエンドユーザに表示するための表示手段と
を備える、システム。
（項目１３）
上記センサは、圧力センサ、力センサ、カメラ、レーザ走査システム、トノメータ、白色光内視鏡、自動蛍光内視鏡、色素内視鏡、狭帯域撮像装置、免疫光学診断内視鏡、光コヒーレンストモグラフィシステム、共焦点蛍光／反射率マイクロ内視鏡、ラマン点分光器、光散乱分光器、蛍光内視鏡、量子ドットシステムの蛍光撮像、およびそれらの組み合わせから成る群より選択される、項目１２に記載のシステム。
（項目１４）
上記カニューレは、上記粘膜下組織の中の上記媒体の圧力を判定するための圧力センサをさらに備える、項目１２に記載のシステム。
（項目１５）
上記システムは、上記ポリープの下に挿入するための光源をさらに備える、項目１２に記載のシステム。
（項目１６）
上記センサは、カメラを備える、項目１５に記載のシステム。
（項目１７）
上記カメラは、上記ポリープの表面を可視化するために、上記組織の上方に配置される、項目１６に記載のシステム。
（項目１８）
上記カメラは、上記ポリープが結腸壁から分離する際に、該ポリープの可視化を可能にするために、該ポリープの下方に配置される、項目１６に記載のシステム。
（項目１９）
上記センサは、
ポリープ上に空気を吹きかけるためのノズルと、
粘膜層の下方に注入される上記媒体の上記圧力を測定することが可能なセンサと、
ＣＰＵと
を備える、空気トノメータを備える、項目１２に記載のシステム。
（項目２０）
上記カニューレはさらに、薬品、薬剤、血液、医療装置、ガイドワイヤ、ポリープ切除スネア、電気焼灼装置、針、光ファイバ、光ファイバ撮像装置、光ファイバ診断プローブ、およびそれらの組み合わせから成る群より選択される品目を、上記ポリープに導入するために使用される、項目１２に記載のシステム。